(57)【要約】【課題】部品をスライド移動させることなく、部品を筐体に固定し、または該固定を解除することができるロック機構を提供する。【解決手段】筐体２の一部をなす部品（カバー部材３）を筐体２に固定するロック機構５は、第一のスライド部材１４と、第二のスライド部材１９と、を備える。第一のスライド部材１４は、第一の位置と第二の位置との間をスライド移動可能に筐体２内に設けられている。第一のスライド部材１４は、該第一の位置ではカバー部材３と係合し、該第二の位置ではカバー部材３と係合しない。第二のスライド部材１９は、第一のスライド部材１４のスライド方向とは異なる方向に沿って位置する第三の位置と第四の位置との間をスライド移動可能に筐体２内に設けられている。第二のスライド部材１９は、該第三の位置では第一のスライド部材１４が第一の位置から第二の位置へ移動する経路の途中に位置し、該第四の位置では当該経路外に位置する。【選択図】図２
2012169427.tif 000002
【特許請求の範囲】
【請求項１】
筐体の一部をなす部品を該筐体に固定するロック機構であって、
前記筐体内において第一の位置と第二の位置との間をスライド移動可能に設けられ、該第一の位置では前記部品と係合し、該第二の位置では前記部品と係合しない第一のスライド部材と、
前記筐体内において、前記第一のスライド部材のスライド方向とは異なる方向に沿って位置する第三の位置と第四の位置との間をスライド移動可能に前記筐体内に設けられ、該第三の位置では前記第一のスライド部材が前記第一の位置から前記第二の位置へ移動する経路の途中に位置し、該第四の位置では前記経路外に位置する第二のスライド部材と、を備えたロック機構。
【請求項２】
前記第二のスライド部材から前記第四の位置の側へ向かって突出するように前記第二のスライド部材に設けられ、前記経路外に位置する突出端と、
前記突出端の前記第一のスライド部材側に配置され、前記第一のスライド部材が前記第一の位置にあるときには前記第一のスライド部材から離間されており、前記第一のスライド部材が前記第二の位置にあるときには前記第一のスライド部材と前記突出端との間で圧縮されるバネをさらに備える、請求項１に記載のロック機構。
【請求項３】
請求項１または２に記載のロック機構が設けられた筐体と、
前記筐体に収納された電子部品と、を備える電子機器。
【請求項４】
筐体内において第一の位置と第二の位置との間をスライド移動可能に設けられ、該第一の位置では前記筐体の一部をなす部品と係合し、該第二の位置では前記部品と係合しない第一のスライド部材と、
前記筐体内において、前記第一のスライド部材のスライド方向とは異なる方向に沿って位置する第三の位置と第四の位置との間をスライド移動可能に設けられ、該第三の位置では前記第一のスライド部材が前記第一の位置から前記第二の位置へ移動する経路の途中に位置し、該第四の位置では前記経路外に位置する第二のスライド部材と、を備えたロック機構を用いて前記部品を前記筐体に固定する固定方法であって、
前記第二のスライド部材が前記第四の位置にあり、前記第一のスライド部材が前記第二の位置にある状態で、前記部品を前記筐体に取り付け、
前記第一のスライド部材を前記第一の位置に移動させ、
前記第二のスライド部材を前記第三の位置に移動させる、固定方法。
【発明の詳細な説明】
【技術分野】
【０００１】
本発明は、部品を筐体に固定するロック機構、該ロック機構を備えた電子機器、および該ロック機構を用いて部品を筐体に固定する固定方法に関する。
【背景技術】
【０００２】
電池や記録メディアなどの部品を着脱可能に収納する電子機器（携帯電話、ゲーム機やタブレットＰＣ等）は、該部品を覆うカバー部材を電子機器筐体に取り付けていることが多い。このような電子機器では、カバー部材が筐体から外れて筐体に収納されていた部品が筐体から脱落することがある。カバー部材の筐体からの脱落を防止するために、カバー部材を筐体に固定することができるロック機構を備えた電子機器が提案されている（例えば特許文献１，２）。
【０００３】
図８は、特許文献１に開示されている電子機器の斜視図である。図８に示すように、電子機器１は、部品（不図示）を着脱自在に収納する筐体２と、該部品を覆うように筐体２に取り付けられたカバー部材３とを備えている。
【０００４】
カバー部材３には爪部４を有するロック機構５が回転可能に設けられている。筐体２は爪部４と係合される係止部６を有しており、爪部４と係止部６とが係合されることによってカバー部材３が強固に筐体２に固定される。
【０００５】
図８に示す状態は、爪部４と係止部６とが係合されている状態であり、カバー部材３が筐体２に固定されている状態である。固定されたカバー部材３によって、筐体２に収納されている部品（不図示）の、筐体２からの脱落が抑制される。
【０００６】
図８に示す状態からロック機構５を回転させることによって、爪部４と係止部６との係合が解除され、筐体２に対するカバー部材３の固定が解除される。筐体２からカバー部材３を取り外すことによって、筐体２に収納されていた部品が露出され、筐体２から該部品を取り外すことができるようになる。
【０００７】
特許文献２では、筐体に対してスライド移動可能に設けられたカバー部材を固定するロック機構が開示されている。カバー部材に爪部が設けられており、筐体に係止部が設けられている。カバー部材をスライド移動させることによって、爪部と係止部とを係合させ、または該係合を解除することができる。
【０００８】
しかしながら、特許文献１，２に開示されているロック機構では、何らかの影響（例えば、電子機器の誤操作や電子機器の落下による衝撃）により、爪部やカバー部材が動くと、カバー部材と筐体との固定が解除される。すなわち、カバー部材が筐体から外れ、筐体に収納されていた部品が筐体から脱落することがあった。
【０００９】
そこで、特許文献３では、カバー部材をより確実に筐体に固定することができるロック機構を備えた電子機器が開示されている。図９は、特許文献３で開示されているロック機構を有する電子機器の一部を、カバー部材から筐体へ向かって見たときの平面図である。
【００１０】
図９に示すように、特許文献３で開示されている電子機器１は、筐体２に対して第一の方向（以下、Ｘ方向という）にスライド移動可能に設けられたカバー部材３を備えている。カバー部材３に爪部（不図示）が設けられ、筐体２には係止部（不図示）が設けられている。カバー部材３を筐体２に対してスライド移動させることにより爪部と係止部との係合が解除され、筐体２に対するカバー部材３の固定が解除される。
【００１１】
さらに、カバー部材３には、Ｘ方向に沿って形成された第一の長穴７と、Ｘ方向と交わる第二の方向（以下、Ｙ方向という）に沿って第一の長穴と交わるように形成された第二の長穴と、が形成されている。また、筐体２には、第一又は第二の長穴７，８に挿通された突起部９を備えている。
【００１２】
突起部９は第二の長穴８に沿ってスライド移動可能に設けられており、突起部９の、Ｘ方向における幅は、第二の長穴８の、Ｘ方向における幅とほぼ等しい。したがって、突起部９が第一の長穴７にないとき（図９に示す状態のとき）、カバー部材３は、突起部９によりＸ方向にスライド移動することができない。
【００１３】
突起部９の、Ｙ方向における幅は、第一の長穴７の、Ｙ方向における幅よりも小さい。したがって、突起部９を図９に示す状態から第一の長穴７までスライド移動させることにより、カバー部材３をＸ方向にスライド移動させることができるようになる。
【００１４】
すなわち、特許文献３で開示されている電子機器１では、カバー部材３を筐体２に対してスライド移動させるためには、突起部９を事前に第一の長穴７に移動させておく必要がある。したがって、特許文献１，２に開示されているロック機構に比べ、誤操作や落下の衝撃によるカバー部材と筐体との固定の解除を抑制することができる。
【先行技術文献】
【特許文献】
【００１５】
【特許文献１】特開２００１−１２７４５６号公報
【特許文献２】特開２００６−１５６３２２号公報
【特許文献３】特開２００２−２８０７６０号公報
【発明の概要】
【発明が解決しようとする課題】
【００１６】
しかしながら、特許文献３に開示されているロック機構では、カバー部材３をスライド移動させるための力をカバー部材３に加える必要があった。そのため、力を加えすぎた場合にはカバー部材３が破損することがあった。
【００１７】
特に、近年では電子機器の軽量化のためにカバー部材をより薄くしたりより軽い材料で形成したりすることが求められている。その結果、カバー部材の強度が低下し、カバー部材がより破損しやすくなっている。
【００１８】
そこで、本発明の目的の一例は、カバー部材をスライド移動させることなく、カバー部材を筐体に固定し、または該固定を解除することができるロック機構および該ロック機構を用いた固定方法を提供することにある。
【課題を解決するための手段】
【００１９】
上記目的を達成するために、本発明の一つの態様は、筐体の一部をなす部品を該筐体に固定するロック機構であって、第一のスライド部材と第二のスライド部材とを備える。第一のスライド部材は、第一の位置と第二の位置との間をスライド移動可能に筐体内に設けられている。第一のスライド部材は、該第一の位置では部品と係合し、該第二の位置では部品と係合しない。第二のスライド部材は、第一のスライド部材のスライド方向とは異なる方向に沿って位置する第三の位置と第四の位置との間をスライド移動可能に筐体内に設けられている。第二のスライド部材は、該第三の位置では第一のスライド部材が第一の位置から第二の位置へ移動する経路の途中に位置し、該第四の位置では当該経路外に位置する。
【００２０】
また、本発明の一つの態様は、筐体の一部をなす部品を筐体に固定するロック機構を用いて部品を筐体に固定する固定方法に係る。ロック機構は、第一のスライド部材と、第二のスライド部材とを備えている。第一のスライド部材は、第一の位置と第二の位置との間をスライド移動可能に筐体内に設けられ、該第一の位置では筐体の一部をなす部品と係合し、該第二の位置では部品と係合しない。第二のスライド部材は、第一のスライド部材のスライド方向とは異なる方向に沿って位置する第三の位置と第四の位置との間をスライド移動可能に筐体内に設けられ、該第三の位置では第一のスライド部材が第一の位置から第二の位置へ移動する経路の途中に位置し、該第四の位置では当該経路外に位置する。この態様において、第二のスライド部材が第四の位置にあり、第一のスライド部材が第二の位置にある状態で、部品を筐体に取り付ける。次に、第一のスライド部材を第一の位置に移動させる。続いて、第二のスライド部材を第三の位置に移動させる。
【発明の効果】
【００２１】
本発明のロック機構および該ロック機構を用いた固定方法によれば、カバー部材をスライド移動させることなく、カバー部材を筐体に固定し、または該固定を解除することができる。
【図面の簡単な説明】
【００２２】
【図１】本発明の実施形態に係る電子機器の斜視図である。
【図２】図１に示す電子機器の分解斜視図である。
【図３】カバー部材を筐体の側から見たときの斜視図である。
【図４】第一のスライド部材の斜視図である。
【図５】第一のスライド部材が第一の位置にあり、第二のスライド部材が第三の位置にある状態の断面図である。
【図６】第一のスライド部材が第一の位置にあり、第二のスライド部材が第四の位置にある状態の断面図である。
【図７】第一のスライド部材が第二の位置にあり、第二のスライド部材が第四の位置にある状態の断面図である。
【図８】特許文献１に開示されている電子機器の斜視図である。
【図９】特許文献３に開示されている電子機器をカバー部材から筐体へ向かって見たときの平面図である。
【発明を実施するための形態】
【００２３】
以下、本発明の実施形態に係る電子機器について図面に基づいて詳細に説明する。なお、本実施形態では、筐体の一部をなすカバー部材を固定するロック機構について説明するが、筐体に固定されるものはカバー部材に限られず、着脱可能に設けられた部品を筐体に固定するロック機構にも適用することができる。
【００２４】
図１は、本発明の実施形態に係る電子機器の斜視図である。図１に示すように、電子機器１は、筐体２と、筐体２に着脱可能に取り付けられたカバー部材３と、カバー部材３を筐体２に固定するロック機構５と、を備えている。
【００２５】
図２は、電子機器１を分解したときの斜視図である。図２に示すように、筐体２の収納空間に、電子機器１を動作させる電子部品１０が収納されて、電子機器１の本体１１が構成されている。
【００２６】
筐体２には、電池や記録メディアなどの着脱部品１２を取り付けるための取り付け部１３が設けられている。着脱部品１２は、筐体２に対して脱着することができるようになっている。
【００２７】
カバー部材３は、取り付け部１３に取り付けられた着脱部品１２を覆うように形成されている。カバー部材３が筐体２に取り付けられた状態では、着脱部品１２がカバー部材３によって覆われているため、着脱部品１２の筐体２からの脱落を防止することができる。また、カバー部材３を筐体２から取り外すことによってカバー部材３と筐体２との間に収納された着脱部品１２が露出され、着脱部品１２を筐体２から取り外すことができる。
【００２８】
ロック機構５は、所定の方向（以下、Ｘ方向と称す）にスライド移動可能に筐体２に設けられた第一のスライド部材１４を有している。第一のスライド部材１４は、Ｘ方向に沿って位置する第一及び第二の位置にスライド移動できるようになっている。なお、図２において、第二の位置は第一の位置よりも右側に位置する。
【００２９】
第一のスライド部材１４は、第一のスライド部材１４が第一の位置にあるときにはカバー部材３と係合され、第一のスライド部材１４が第二の位置にあるときにはカバー部材３と係合されないように形成されている。カバー部材３が第一のスライド部材１４と係合されることによって、カバー部材３が筐体２に固定される。また、カバー部材３と第一のスライド部材１４との係合が解除されることによって、カバー部材３を筐体２から取り外すことが可能となる。
【００３０】
第一のスライド部材１４とカバー部材３とを係合させ、または該係合を解除する構造についての一例を、図３及び図４を用いて説明する。図３は、カバー部材３を筐体２の側から見たときの斜視図であり、図４は第一のスライド部材１４の斜視図である。
【００３１】
図３に示すように、カバー部材３の、筐体２側の面には、先端が直角に曲がった爪部１５が設けられている。
【００３２】
また、図４に示すように、第一のスライド部材１４の、カバー部材３側の面Ａには、爪部１５が配置される切り欠き１６が形成されている。切り欠き１６は、第一のスライド部材１４が第一の位置にあるときに爪部１５が対応する位置から、第二のスライド部材１４が第二の位置にあるときに爪部１５が対応する位置まで形成されている。したがって、第一のスライド部材１４は爪部１５に衝突することなく第一の位置と第二の位置との間をスライド移動することができる。
【００３３】
さらに、切り欠き１６の、カバー部材３側の位置には、爪部１５の先端と係合する壁部材１７と、爪部１５の先端を切り欠き１６から出し入れすることができる挿通口１８とが形成されている。壁部材１７は、Ｘ方向における第二の位置側に位置し、挿通口１８は、Ｘ方向における第二の位置側に位置している。
【００３４】
したがって、第一のスライド部材１４が第一の位置にあるときには、カバー部材３を第一のスライド部材１４へ着脱することができ、第一のスライド部材１４が第二の位置にあるときには、カバー部材３を第一のスライド部材１４へ固定することができる。
【００３５】
また、ロック機構５は、図２に示すように、筐体２の、第一のスライド部材１４よりもＸ方向において第二の位置側（図２に示す右側）に設けられた第二のスライド部材１９を有している。第二のスライド部材１９は、Ｘ方向とは異なる方向（以下、Ｙ方向と称す）に沿って位置する第三および第四の位置にスライド移動可能に設けられている。
【００３６】
第三の位置は、第一のスライド部材１４が第一の位置から第二の位置へ移動する経路の途中に位置する。したがって、第二のスライド部材１９が第三の位置にあるときには、第一のスライド部材１４が第一の位置から第二の位置へ移動する前に、第一のスライド部材１４が第二のスライド部材１９に突き当たる。すなわち、第一のスライド部材１４が第二の位置へ移動できない状態にあり、第一のスライド部材１４とカバー部材３との係合が維持される。
【００３７】
第四の位置は、第一のスライド部材１４が第一の位置から第二の位置へ移動する経路外に位置している。したがって、第二のスライド部材１９が第四の位置にあるときには、第一のスライド部材１４は第一の位置から第二の位置へ移動することができ、第一のスライド部材１４とカバー部材３との係合を解除することができる。
【００３８】
第一のスライド部材１４を第二の位置から第一の位置へ戻すバネ２０を、第二のスライド部材１９に設けてもよい。この場合、第二のスライド部材１９には、Ｙ方向の第四の側へ向かって突出する突出端２１が設けられており、突出端２１の第一のスライド部材１４側にバネ２０が配設されている。突出端２１は、第一のスライド部材１４の、第一の位置から第二の位置の経路外に位置するように設けられている。
【００３９】
第一のスライド部材１４が第一の位置にあるときには、バネ２０は第一のスライド部材１４から離間されている。したがって、第一のスライド部材１４が第一の位置にあるときには、第二のスライド部材１９の移動と一緒にバネ２０を移動させることができる。
【００４０】
また、第二のスライド部材１９が第四の位置にあり、第一のスライド部材１４が第二の位置にある状態では、バネ２０は、突出端２１と第一のスライド部材１４との間で圧縮されている。したがって、第一のスライド部材１４に第二の位置から第一の位置へ向かう方向の付勢力を付勢する。バネ２０を突出端２１に設けることによって、第二の位置にある第一のスライド部材１４を第一の位置に移動させやすくすることができる。
【００４１】
次に、図５ないし図７を用いて本実施形態の電子機器１におけるカバー部材３の筐体２への固定の方法および該固定の解除の方法について説明する。図５ないし図７は、カバー部材３の筐体２への固定の方法および該固定の解除の方法を説明するための断面図であり、ロック機構５付近を拡大した図である。図５ないし図７において、（ａ）はＸ方向およびＹ方向に平行な面で切断した電子機器１をカバー部材３から筐体２へ向かって見たときの断面図であり、（ｂ）はＸ方向と垂直に交わり、爪部１５を通る面で切断したときの電子機器１の断面図である。
【００４２】
図５は、第一のスライド部材１４が第一の位置にあり、第二のスライド部材１９が第三の位置にある状態の図である。この状態では、図５（ｂ）に示すように、爪部１５が第一のスライド部材１４に係合されている。すなわち、カバー部材３は筐体２に固定されている。
【００４３】
また、図５（ａ）に示すように、第二のスライド部材１９が、第一のスライド部材１４の第一の位置から第二の位置へ向かう経路の途中にある。そのため、第一のスライド部材１４は、第二の位置に移動する前に第二のスライド部材１９に突き当たる。したがって、第一のスライド部材１４の誤操作や、電子機器１の落下による衝撃が発生しても、第一のスライド部材１４が第二の位置に移動することがなく、カバー部材３の筐体２への固定が維持される。
【００４４】
図６は、図５に示す状態から、第二のスライド部材１９を第四位置に移動させた状態の図である。図６（ａ）に示すように、第二のスライド部材１９は、第一のスライド部材１４の第一の位置から第二の位置へ向かう経路の途中に存在しない。そのため、第一のスライド部材１４が第二の位置へ移動可能となっている。
【００４５】
図７は、図６に示す状態から、第一のスライド部材１４を第二の位置に移動させた状態の図である。図７（ｂ）に示すように、爪部１５と第一のスライド部材１４との係合が解除されており、カバー部材３の筐体２への固定が解除されている。
【００４６】
カバー部材３を筐体２に固定するには、第二のスライド部材が第四の位置にあり、第一のスライド部材１４が第二の位置にある状態（図７）で、カバー部材３を筐体２に取り付ける。その後、第一のスライド部材１４を第一の位置に移動させ（図６）、第一のスライド部材１４とカバー部材３とを係合させる。バネ２０を設けておくことにより、第一のスライド部材１４を、第二の位置から第一の位置へ容易に戻すことが可能となる。
【００４７】
続いて第二のスライド部材を第三の位置に移動させ（図５）、第一のスライド部材１４の移動を第二のスライド部材１９により制限する。
【００４８】
以上のように第一および第二のスライド部材１４，１９を移動させることにより、カバー部材３の筐体２への固定および該固定の解除をすることができる。
【００４９】
本発明の電子機器１では、カバー部材３の筐体２への固定状態を解除するためには、第二のスライド部材１９を第四の位置に移動させ、かつ第一のスライド部材１４を第二の位置に移動させなければならない。したがって、誤操作や電子機器１の落下による衝撃で第一のスライド部材１４に力が加えられても、第一のスライド部材１４が移動することがないため、カバー部材３の筐体２への固定が維持される。
【００５０】
第二のスライド部材１９のスライド方向（すなわちＹ方向）と、第一のスライド部材１４のスライド方向（すなわちＸ方向）は異なっているため、誤操作や落下の衝撃により第一および第二のスライド部材１４，１９が同時に移動することはより少ない。すなわち、カバー部材３の脱落を防止することが可能となる。
【００５１】
また、カバー部材３の筐体２への固定や該固定の解除は、第一および第二のスライド部材１４，１９を移動させることにより行われる。すなわち、カバー部材３に力を加える必要がないため、カバー部材３の破損を抑制することができる。
【００５２】
なお、本実施形態では、図５および図６に示すように、第一のスライド部材１４が第一の位置にあるとき、第一のスライド部材１４の、Ｘ方向における第一の位置側の端部２２は、筐体２から突出している。該端部を押すことによって、第一のスライド部材１４を第二の位置に移動させることができる。
【００５３】
もちろん、第一のスライド部材１４の、Ｘ方向における第一の位置側の端部２２は筐体２から突出している必要はなく、第一のスライド部材１４が筐体２内に隠れている状態からさらに筐体２内に押し込むようにスライド移動させる構造でもよい。第一のスライド部材１４が筐体２内に隠れる構造では、第一のスライド部材１４を第二の位置から第一の位置へ移動させにくい。したがって、このような構造ではバネ２０を設けておくことがより好ましい。
【符号の説明】
【００５４】
１      電子機器
２      筐体
３      カバー部材
５      ロック機構
１４    第一のスライド部材
１９    第二のスライド部材
２０    バネ
２１    突出端
【図１】
2012169427.tif 000003
【図２】
2012169427.tif 000004
【図３】
2012169427.tif 000005
【図４】
2012169427.tif 000006
【図５】
2012169427.tif 000007
【図６】
2012169427.tif 000008
【図７】
2012169427.tif 000009
【図８】
2012169427.tif 000010
【図９】
2012169427.tif 000011